(57)【要約】【課題】この発明は、冷水機部と飲料供給機部との組み付け作業及び梱包作業を容易に行うことができる飲料供給装置を提供することを課題とする。【解決手段】給茶機部２２を冷水機部の上に組み付けた後、開閉扉を開いて付属品の連結管３４を冷水機部内に挿入し、連結管３４の雄型ニップル３５及び３６を冷水コイル２８の雌型ニップル２９及び冷水供給管３０の雌型ニップル３１にそれぞれ連結する。給茶機部２２の雌型ニップル３１は保護部材３９により保護されているため、梱包から出された給茶機部２２を床等の上に置いたとしても、雌型ニップル３１が損傷することはない。【選択図】        図２
2004307007.tif 000002
【特許請求の範囲】
【請求項１】
冷水機部の上に飲料供給機部が組み付けられた飲料供給装置において、
冷水機部内の冷水供給管の一端に配設された冷水機側接続部と、
飲料供給機部内の冷水供給管の一端に配設されると共に飲料供給機部の底部に位置する飲料供給機側接続部と、
冷水機部の上に飲料供給機部が組み付けられた後に冷水機側接続部と飲料供給機側接続部との間に脱着可能に連結される連結管と、
飲料供給機部の底部に配設されると共に飲料供給機側接続部を保護し且つ冷水機部の上に飲料供給機部が組み付けられた後に取り外し可能な保護部材と
を備えたことを特徴とする飲料供給装置。
【請求項２】
冷水機側接続部及び飲料供給機側接続部はそれぞれ雌型ニップルからなり、連結管は冷水機側接続部及び飲料供給機側接続部に連結される両端部にそれぞれ雄型ニップルを有する請求項１に記載の飲料供給装置。
【請求項３】
互いに連結された雌型ニップル及び雄型ニップルの上に嵌め込まれる抜け止め用のクイックファスナを備えた請求項２に記載の飲料供給装置。
【請求項４】
保護部材は飲料供給機部の底部にネジ止めされた請求項１〜３のいずれか一項に記載の飲料供給装置。
【請求項５】
連結管はステンレスから形成された請求項１〜４のいずれか一項に記載の飲料供給装置。
【発明の詳細な説明】
【０００１】
【発明の属する技術分野】
この発明は、飲料供給装置に係り、特に冷水機部の上に飲料供給機部が組み付けられた飲料供給装置における冷水供給配管の構造に関する。
【０００２】
【従来の技術】
例えば特許文献１に開示されているような冷水機付の給茶機においては、図４に示されるように、冷水機部１と飲料供給機部である給茶機部２とが互いに独立して形成され、設置現場において冷水機部１の上に給茶機部２が組み付けられている。図示しない冷水スイッチが操作されると、冷水用給水弁３と冷水用注出弁４とが開放され、給水管５から清水が冷水コイル６に供給され、清水は冷水コイル６内を通る際に冷水タンク７内の冷却用水によって冷却されて冷水となり、冷水供給配管８を通って注出口９から注出される。
【０００３】
【特許文献１】
実用新案登録第２５８４００１号公報
【０００４】
【発明が解決しようとする課題】
ここで、冷水機部１内の冷水コイル６と給茶機部２内の冷水用注出弁４との間を連絡する冷水供給配管８としては、従来、図５に示されるように、断熱材１０で覆われたシリコンブレードホース１１が使用されていた。冷水機部１の上に給茶機部２を組み付けるという構造から、シリコンブレードホース１１はその上端部がホースバンド１２を用いて給茶機部２内の取付管１３に固定され、下端部は給茶機部２の底部から下方へ垂下して露出しており、冷水機部１の上に給茶機部２を組み付けた後にホースバンド１２を用いて冷水機部１内の冷水コイル６に連結していた。
【０００５】
このため、冷水機部１の上に給茶機部２を組み付ける際に、シリコンブレードホース１１の下半部を冷水機部１と給茶機部２との間に挟まないように慎重に取り扱わなければならず、またホースバンド１２を締め付けてシリコンブレードホース１１の下端部を冷水コイル６に連結する必要があり、組み付け作業に時間と手間がかかっていた。
また、冷水機部１と給茶機部２が互いに独立して製造され、設置現場にて組み付けられるため、搬送時には冷水機部１と給茶機部２をそれぞれ梱包する必要がある。しかしながら、シリコンブレードホース１１の下半部が給茶機部２の底部から露出しているので、図６に示されるように、給茶機部２を梱包下台１４に載せる際にシリコンブレードホース１１の下半部を慎重に取り扱って梱包下台１４内に収納させなければならず、梱包作業にも時間と手間を要していた。
【０００６】
この発明はこのような問題点を解消するためになされたもので、冷水機部と飲料供給機部との組み付け作業及び梱包作業を容易に行うことができる飲料供給装置を提供することを目的とする。
【０００７】
【課題を解決するための手段】
この発明に係る飲料供給装置は、冷水機部の上に飲料供給機部が組み付けられた飲料供給装置において、冷水機部内の冷水供給管の一端に配設された冷水機側接続部と、飲料供給機部内の冷水供給管の一端に配設されると共に飲料供給機部の底部に位置する飲料供給機側接続部と、冷水機部の上に飲料供給機部が組み付けられた後に冷水機側接続部と飲料供給機側接続部との間に脱着可能に連結される連結管と、飲料供給機部の底部に配設されると共に飲料供給機側接続部を保護し且つ冷水機部の上に飲料供給機部が組み付けられた後に取り外し可能な保護部材とを備えたものである。
【０００８】
なお、冷水機側接続部及び飲料供給機側接続部をそれぞれ雌型ニップルから形成し、冷水機側接続部及び飲料供給機側接続部に連結される連結管の両端部をそれぞれ雄型ニップルから形成することができる。この場合、互いに連結された雌型ニップル及び雄型ニップルの上に抜け止め用のクイックファスナを嵌め込むようにすることが好ましい。
また、保護部材は飲料供給機部の底部にネジ止めすることができる。さらに、好ましくは、連結管はステンレスから形成される。
【０００９】
【発明の実施の形態】
以下、この発明の実施の形態を添付図面に基づいて説明する。
図１にこの発明の実施の形態に係る給茶機の全体構成を示す。冷水機部２１と飲料供給機部としての給茶機部２２とが互いに独立して製造され、設置現場において冷水機部２１の上に給茶機部２２が組み付けられる。給茶機部２２の前面には、前方に向かって開口された注出用凹部２３が形成され、その天井部に注出口２４が設けられている。図示されていないが、給茶機部２２の内部には湯茶生成部が配設されており、給茶機部２２前面のスイッチ２５を操作することにより、注出口２４から湯や茶が注出される。一方、冷水機部２１の前面には開閉扉２６が設けられており、冷水機部２１内には、図示しない冷水生成部が配設されている。
【００１０】
図２に示されるように、冷水機部２１内の冷水生成部は冷水タンク２７内に収容された冷水コイル２８を備えており、冷水コイル２８の一端が冷水タンク２７の上面に形成された開口部から上方へ露出し、ここに冷水機側接続部となる雌型ニップル２９が取り付けられている。なお、冷水コイル２８の他端は図示しない冷水用給水弁を介して給水管が接続されている。
また、給茶機部２２内には、ステンレス製の冷水供給管３０が配設され、冷水供給管３０の一端が給茶機部２２の底部に形成された開口部から下方へ露出し、ここに給茶機側接続部となる雌型ニップル３１が取り付けられている。なお、冷水供給管３０は断熱材３２で覆われると共に冷水供給管３０の他端は給茶機部２２内の取付部３３に溶接により固定され、この冷水供給管３０の他端に図示しない冷水用注出弁を介して注出口２４が接続されている。
【００１１】
そして、冷水コイル２８の一端と冷水供給管３０の一端との間にステンレス製の連結管３４が配設されている。この連結管３４の両端には、冷水コイル２８の一端に取り付けられた雌型ニップル２９に脱着自在に連結される雄型ニップル３５と冷水供給管３０の一端に取り付けられた雌型ニップル３１に脱着自在に連結される雄型ニップル３６とを備えている。これらの雄型ニップル３５及び３６を雌型ニップル２９及び３１にそれぞれ接続することにより、給茶機部２２が冷水機部２１の上に組み付けられた状態で連結管３４を冷水コイル２８の一端と冷水供給管３０の一端との間に連結することができる。同様に、給茶機部２２が冷水機部２１の上に組み付けられた状態で連結管３４を取り外すこともできる。
なお、連結管３４の外周部は断熱材３７で覆われている。
【００１２】
図３に示されるように、給茶機部２２の底部下面には、冷水供給管３０の一端が下方へ露出するための開口部３８の近傍に保護部材３９が設けられている。保護部材３９は、断面Ｌ形に屈曲された板状部材であって、ネジ４０により給茶機部２２の底部下面に脱着自在に取り付けられており、冷水供給管３０の一端に装着された雌型ニップル３１より下方にまで延びてこの雌型ニップル３１を保護している。
【００１３】
連結管３４の雄型ニップル３６にはＯリング４２が嵌合されており、この雄型ニップル３６を冷水供給管３０の雌型ニップル３１に差し込んで連結すると、Ｏリング４２によってシールがなされ、水漏れが防止される。また、冷水供給管３０の雌型ニップル３１に連結管３４の雄型ニップル３６を連結した後、これら雌型ニップル３１と雄型ニップル３６の上にクイックファスナ４１を嵌め込むことにより、雌型ニップル３１からの雄型ニップル３６の脱落が防止されるように構成されている。連結管３４の他方の雄型ニップル３５にも同様のＯリングが嵌合されると共に冷水コイル２８の雌型ニップル２９と連結管３４の雄型ニップル３５との連結に対しても、同様のクイックファスナを用いて抜け止めがなされる。
【００１４】
この実施の形態に係る給茶機は、出荷時には冷水機部２１と給茶機部２２が別々に梱包されるが、連結管３４は冷水機部２１にも給茶機部２２にも連結されることなく、いずれかの梱包内に付属品として収納される。従って、給茶機部２２の底部からは冷水供給管３０の雌型ニップル３１が下方へ露出すると共にその近傍に保護部材３９が突出するのみであり、極めて容易に梱包作業を行うことができる。冷水機部２１から飛び出るようなホース等も存在せず、冷水機部２１も容易に梱包することができる。
【００１５】
給茶機の設置現場においては、まず、冷水機部２１の上に給茶機部２２が組み付けられる。このとき、梱包から出された給茶機部２２を床等の上に置いたとしても、雌型ニップル３１よりも下方にまで延びている保護部材３９によって保護されるため、雌型ニップル３１が損傷することはない。また、冷水機部２１及び給茶機部２２から飛び出るようなホース等が存在しないので、容易に短時間で組み付けを行うことができる。
【００１６】
このようにして給茶機部２２を冷水機部２１の上に組み付けた後、冷水機部２１の前面の開閉扉２６を開き、付属品の連結管３４を冷水機部２１内に挿入し、連結管３４の雄型ニップル３５及び３６を冷水コイル２８の雌型ニップル２９及び冷水供給管３０の雌型ニップル３１にそれぞれ連結すると共にクイックファスナ４１を嵌め込んで抜け止めをする。これにより、冷水機部２１内の冷水コイル２８と給茶機部２２内の冷水供給管３０とが連結される。なお、冷水供給管３０はその上端が給茶機部２２内の取付部３３に固定されているが、雌型ニップル３１が取り付けられている下端は固定されることなく自由端となっているので、ある程度移動させることができ、このため連結管３４を容易に連結することができる。
【００１７】
また、保護部材３９は給茶機部２２の底部下面にネジ止めされているので、給茶機部２２を冷水機部２１の上に組み付けた後に、まず冷水機部２１の開閉扉２６を開いて保護部材３９を取り外し、その後連結管３４を連結してもよい。このようにすれば、連結管３４の連結がさらに容易となる。
【００１８】
上記の実施の形態においては、Ｏリング４２とクイックファスナ４１との組み合わせにより水漏れに対する信頼性の高い冷水供給配管構造が実現される。
また、冷水供給管３０及び連結管３４をステンレス製とすることにより、たとえ異常な水圧が管内に作用したとしても安全であり、使用水の水質等に影響されて冷水に臭いが移ることが防止される。
なお、この発明は、給茶機に限らず、コーヒーディスペンサ等の他の飲料供給装置にも適用することができる。
【００１９】
【発明の効果】
以上説明したように、この発明によれば、冷水機部内の冷水供給管の一端に配設された冷水機側接続部と飲料供給機部内の冷水供給管の一端に配設された飲料供給機側接続部との間に連結管を脱着可能に連結すると共に飲料供給機側接続部を保護し且つ冷水機部の上に飲料供給機部が組み付けられた後に取り外し可能な保護部材を飲料供給機部の底部に配設したので、冷水機部と飲料供給機部との組み付け作業及び梱包作業を容易に行うことが可能となる。
【図面の簡単な説明】
【図１】この発明の実施の形態に係る給茶機を示す正面図である。
【図２】実施の形態に係る給茶機の冷水供給配管の構造を示す一部破断図である。
【図３】図２の部分Ａを示す拡大図である。
【図４】給茶機の内部構造を示す概略斜視図である。
【図５】従来の給茶機における冷水供給配管の構造を示す一部破断図である。
【図６】給茶機部が梱包下台に載せられた状態を示す斜視図である。
【符号の説明】
２１  冷水機部、２２  給茶機部、２３  注出用凹部、２４  注出口、２５  スイッチ、２６  開閉扉、２７  冷水タンク、２８  冷水コイル、２９，３１  雌型ニップル、３０  冷水供給管、３２，３７  断熱材、３３  取付部、３４  連結管、３５，３６  雄型ニップル、３８  開口部、３９  保護部材、４０  ネジ、４１  クイックファスナ、４２  Ｏリング。
【図１】
2004307007.tif 000003
【図２】
2004307007.tif 000004
【図３】
2004307007.tif 000005
【図４】
2004307007.tif 000006
【図５】
2004307007.tif 000007
【図６】
2004307007.tif 000008